(57)【要約】  シリンダ本体及びプラグアセンブリを伴う鍵付替え可能なロックシリンダ。ロックシリンダは、プラグアセンブリ内に配置された複数のキーフォロワ及び対応する複数のラックを含む。ロックシリンダは、無許可の物体を用いた鍵付替え可能なロックシリンダの開錠を防ぐために、シリンダ本体に対するプラグアセンブリの回転を阻止するための手段を含む。いくつかの実施形態において、阻止用手段は、無許可の物体を用いたプラグアセンブリのトルク付加により、複数のラックに力が伝達されずに、阻止用手段に対して力が適用されるように構成されている。このタイプの構成は、強制的な進入が試みられた場合に対するロックシリンダのトルク抵抗を増強させる。
2018517864.tif 000002
【特許請求の範囲】
【請求項１】
鍵付替え可能なロックシリンダにおいて、
長手方向軸を伴い且つ溝を含む、シリンダ本体と、
前記シリンダ本体内に配置され、且つ、前記長手方向軸を中心に回転可能である、プラグアセンブリと、
前記プラグアセンブリ内に配置された複数のキーフォロワ及び対応する複数のラックであって、前記複数のラックのうちの少なくとも１つが、新しい鍵への鍵の付替えを容易にするために、前記鍵付替え可能なロックシリンダ内に挿入された物体による力の適用に応じて、前記複数のキーフォロワのうちの少なくとも１つから選択的に係合解除可能である、複数のキーフォロワ及びラックと、
無許可の物体を用いた前記鍵付替え可能なロックシリンダの開錠を防ぐために、前記シリンダ本体に対する前記プラグアセンブリの回転を阻止するための手段であって、無許可の物体を用いた前記プラグアセンブリのトルク付加に由来する力が、前記複数のラックに伝達されるあらゆる力と比較した場合に、主として前記シリンダ本体と阻止用手段との間で分配され、こうして前記鍵付替え可能なロックシリンダのトルク抵抗を増強させるように構成されている、阻止用手段と、
を含む、鍵付替え可能なロックシリンダ。
【請求項２】
前記阻止用手段が、前記長手方向軸に対して横断方向に、前記シリンダ本体の前記溝内へ入る施錠位置と前記シリンダ本体の前記溝から出る開錠位置との間で可動である、少なくとも１つのロッキングバーを含む、請求項１に記載の鍵付替え可能なロックシリンダ。
【請求項３】
前記少なくとも１つのロッキングバーが、前記施錠位置にある場合に前記溝の表面と係合する表面を含み、前記少なくとも１つのロッキングバーが前記施錠位置にある場合に係合する前記少なくとも１つのロッキングバー及び溝のそれぞれの前記表面が、おおよそ平行な平面内にある、請求項２に記載の鍵付替え可能なロックシリンダ。
【請求項４】
前記少なくとも１つのロッキングバーが前記施錠位置にある場合に前記シリンダ本体内の前記溝と係合する前記少なくとも１つのロッキングバーの前記表面が、傾斜した表面でない、請求項３に記載の鍵付替え可能なロックシリンダ。
【請求項５】
前記少なくとも１つのロッキングバーが前記施錠位置にある場合に前記シリンダ本体内の前記溝と係合する前記少なくとも１つのロッキングバーの前記表面が、平坦な表面である、請求項３に記載の鍵付替え可能なロックシリンダ。
【請求項６】
前記シリンダ本体内の前記溝と係合する前記少なくとも１つのロッキングバーの前記表面が、前記長手方向軸に対して半径方向の軸におおよそ平行である平面内にある、請求項３に記載の鍵付替え可能なロックシリンダ。
【請求項７】
前記施錠位置にある場合、前記少なくとも１つのロッキングバーの縁部が、前記シリンダ本体の前記溝の中に収容される、請求項２に記載の鍵付替え可能なロックシリンダ。
【請求項８】
前記少なくとも１つのロッキングバーの前記縁部が、実質的に方形である、請求項７に記載の鍵付替え可能なロックシリンダ。
【請求項９】
前記少なくとも１つのロッキングバーの前記縁部がおおよそ矩形の断面を有する、請求項７に記載の鍵付替え可能なロックシリンダ。
【請求項１０】
前記阻止用手段を前記複数のラックに向けて推し進める付勢用部材をさらに含む、請求項１に記載の鍵付替え可能なロックシリンダ。
【請求項１１】
前記複数のキーフォロワがバネ式であり、いずれのキーフォロワも前記少なくとも１つのロッキングバーによって持ち上げられないように保証するために、前記付勢用部材のバネ力が、前記バネ式のキーフォロワのバネ力に比例する、請求項１０に記載の鍵付替え可能なロックシリンダ。
【請求項１２】
鍵付替え可能なロックシリンダにおいて、
溝を含む長手方向軸を伴うシリンダ本体と、
前記シリンダ本体内に配置され且つ前記長手方向軸を中心に回転可能なプラグアセンブリと、
複数のラックと、少なくとも１つのロッキングバーと、を含む、キャリアアセンブリと、
前記プラグアセンブリ内に配置された複数のキーフォロワであって、前記複数のラックのうちの少なくとも１つが、新しい鍵への鍵の付替えを容易にするために、当該鍵付替え可能なロックシリンダ内に挿入された物体による力の適用に応じて、前記複数のキーフォロワのうちの少なくとも１つから選択的に係合解除可能である、複数のキーフォロワと、
を含む、鍵付替え可能なロックシリンダであって、
前記少なくとも１つのロッキングバーが、前記長手方向軸に対して横断方向に及び前記長手方向軸を中心にして回転的に可動であり、前記少なくとも１つのロッキングバーの少なくとも一部分が、前記シリンダ本体の前記溝内へ入る施錠位置と前記シリンダ本体内の前記溝から出る開錠位置との間で可動であり、
前記少なくとも１つのロッキングバーが、無許可の物体を用いた前記鍵付替え可能なロックシリンダの開錠を防ぐように構成されており、前記少なくとも１つのロッキングバーは、無許可の物体を用いた前記プラグアセンブリのトルク付加に由来する力が、前記複数のラックに伝達されるあらゆる力と比較した場合に、前記シリンダ本体とキャリアアセンブリとの間で主として分配されるように構成されている、
鍵付替え可能なロックシリンダ。
【請求項１３】
前記少なくとも１つのロッキングバーを前記複数のラックに向けて推し進める付勢用部材をさらに含む、請求項１２に記載の鍵付替え可能なロックシリンダ。
【請求項１４】
前記複数のキーフォロワがバネ式であり、前記付勢用部材のバネ力が、前記バネ式のキーフォロワのバネ力よりも小さい、請求項１３に記載の鍵付替え可能なロックシリンダ。
【請求項１５】
鍵付替え可能なロックシリンダにおいて、
溝を含む長手方向軸を伴うシリンダ本体と、
前記シリンダ本体内に配置され且つ前記長手方向軸を中心に回転可能なプラグアセンブリと、
前記プラグアセンブリ内に配置された複数のキーフォロワ及び対応する複数のラックであって、前記複数のラックのうちの少なくとも１つが、新しい鍵への鍵の付替えを容易にするために、当該鍵付替え可能なロックシリンダ内に挿入された物体による力の適用に応じて前記複数のキーフォロワのうちの少なくとも１つから選択的に係合解除可能である、複数のキーフォロワ及びラックと、
前記長手方向軸に対し横断方向に及び前記長手方向軸を中心にして回転的に可動である少なくとも１つのロッキングバーであって、当該少なくとも１つのロッキングバーの少なくとも一部分が、前記シリンダ本体の前記溝内へ入る施錠位置と前記シリンダ本体内の前記溝から出る開錠位置との間で可動であり、前記溝内に収容される前記少なくとも１つのロッキングバーの前記一部分が、おおよそ矩形の断面を有している、少なくとも１つのロッキングバーと、
前記少なくとも１つのロッキングバーを前記複数のラックに向って推し進める付勢用部材と、
を含む、鍵付替え可能なロックシリンダ。
【請求項１６】
前記複数のキーフォロワがバネ式であり、前記付勢用部材のバネ力が、前記バネ式のキーフォロワのバネ力よりも小さい、請求項１５に記載の鍵付替え可能なロックシリンダ。
【発明の詳細な説明】
【技術分野】
【０００１】
関連出願
本出願は、全体が参照により本明細書に組込まれている２０１５年６月１６日出願の米国仮特許出願第６２／１８０，３３９号及び２０１６年６月３日出願の米国特許出願第１５／１７２，２０６号の利益を主張するものである。
【０００２】
本開示は、概して錠前に関する。詳細には、本開示は、トルク抵抗が増強された鍵付替え可能（rekeyable）なロックシリンダを伴う錠前に関する。
【背景技術】
【０００３】
シリンダプラグを取外すことなく鍵を付替えできるロックシリンダが公知である。例えば、米国特許第８，０３３，１５０号は、鍵付替え可能なロックシリンダについて記載している。このタイプの錠前は、錠前師を使用することなく容易に鍵を付替えできることから、消費者にとって、メリットが大きい。
【発明の概要】
【発明が解決しようとする課題】
【０００４】
プラグシリンダは、許可された鍵が鍵穴に挿入された場合に自由に回転すべきであるが、ロックシリンダは、無許可の鍵（又は他の物体）によりトルクが加えられた場合に、プラグの回転に抵抗するように構成されていなければならない。ロックシリンダの大きなトルク抵抗が、不法進入を減少させるための秘訣である。したがって、トルク抵抗が増強された鍵付替え可能な錠前に対するニーズが存在する。
【課題を解決するための手段】
【０００５】
一態様によると、本開示は、シリンダ本体及びプラグアセンブリを伴う鍵付替え可能なロックシリンダを提供する。シリンダ本体は、長手方向軸を画定し、且つ、溝を含む。プラグアセンブリは、シリンダ本体内に配置され、且つ、長手方向軸を中心に回転可能である。ロックシリンダは、プラグアセンブリ内に配置された複数のキーフォロワ及び対応する複数のラックを含む。複数のラックのうちの少なくとも１つは、新しい鍵への鍵の付替えを容易にするために、鍵付替え可能なロックシリンダ内に挿入された物体による力の適用に応じて、複数のキーフォロワのうちの少なくとも１つから選択的に係合解除可能である。ロックシリンダは、無許可の物体を用いた鍵付替え可能なロックシリンダの開錠を防ぐために、シリンダ本体に対するプラグアセンブリの回転を阻止するための手段を含む。いくつかの実施形態において、阻止用手段は、無許可の物体を用いたプラグアセンブリのトルク付加が、複数のラックに力を伝達することなく、阻止用手段に対して力が適用されるように構成されている。このタイプの構成は、ロックシリンダのトルク抵抗を増強させる。
【０００６】
いくつかの実施形態において、阻止用手段は、長手方向軸に対して横断方向に、シリンダ本体の溝内へ入る施錠位置とシリンダ本体の溝から出る開錠位置との間で可動である、少なくとも１つのロッキングバーを含んでいる。例えば、ロッキングバーは、施錠位置にある場合に溝の表面と係合する表面を含むことができる。いくつかの例示的実施形態において、ロッキングバーが施錠位置にある場合に係合する少なくとも１つのロッキングバー及び溝のそれぞれの表面は、おおよそ平行な平面内にある。状況に応じて、ロッキングバーが施錠位置にある場合にシリンダ本体内の溝と係合する少なくとも１つのロッキングバーの表面は、傾斜した表面でない。例えばこの表面は、平坦であることができる。いくつかのケースにおいて、ロッキングバーの縁部は実質的に方形にされており、例えば、おおよそ矩形の断面を有する。
【０００７】
いくつかの実施形態においては、ロッキングバーを複数のラックに向けて推し進める１つ以上の付勢用部材が存在する。この構成では、付勢用部材は、許可された鍵が鍵穴に挿入された場合に、ロッキングバーをシリンダ本体内の溝から外に出るように推し進める。いくつかの例示的実施形態においては、付勢用部材のバネ力は、バネ式キーフォロワのバネ力よりも小さい。したがって、バネ式キーフォロワは、鍵が鍵穴の中に挿入されていない場合、付勢用部材のバネ力を克服して、ロックシリンダを施錠することになる。
【０００８】
本開示のさらなる特徴及び利点は、現在認識されている本開示の最良の実施形態を例証する以下の詳細な説明を考慮した時点で、当業者には明白になるであろう。
【０００９】
本開示について、以下で、非限定的な実施例として提供される添付図面を参照しながら説明する。
【図面の簡単な説明】
【００１０】
【図１】本開示の一実施形態に係る例示的ロックシリンダの斜視図である。
【図２】図１に示された例示的ロックシリンダの分解図である。
【図３】ロッキングバーをラックに向って推し進めるバネを示す、図１に示された例示的ロックシリンダの断面図である。
【図４】許可された鍵が鍵穴内にある状態でのロッキングバーとシリンダ本体との間の界面を示す、図１に示された例示的ロックシリンダの断面図である。
【図５】無許可の鍵が鍵穴内にある状態でのロッキングバーとシリンダ本体との間の界面を示す、図１に示された例示的ロックシリンダの断面図である。
【図６】鍵穴内に鍵が無い状態でのロッキングバーとシリンダ本体との間の界面を示す、図１に示された例示的ロックシリンダの断面図である。
【００１１】
対応する参照文字は、複数の図全体を通して、対応する部品を示す。本明細書中で提示する例証は、１つの形での本発明の実施を例示しており、このような例証は、いかなる形であれ本発明の範囲を限定するものとみなされるべきではない。
【発明を実施するための形態】
【００１２】
本開示は、シリンダプラグを取外すことなく鍵の付替え（rekeyed）をすることができる、鍵付替え可能（rekeyable）なロックシリンダに関する。ロックシリンダの鍵を付替えするための作業は、参照により本明細書に組込まれている米国特許第８，０３３，１５０号中に記載のものと類似している。鍵を付替える作業は類似の形で機能するものの、当該ロックシリンダは、増強されたトルク抵抗を含んでいる。いくつかの実施形態において、この増強されたトルク抵抗は、プラグシリンダ上のトルクをラックから隔離するように構成され、こうしてロックシリンダの耐久性が増大している。
【００１３】
本開示の一実施形態に係る例示的ロックシリンダ１０が図１及び図２に例示されている。ロックシリンダ１０は、長手方向軸１２、シリンダ本体１４、及び、プラグアセンブリ１６を含む。リテーナークリップ１８（図２）が、シリンダ本体１４とプラグアセンブリ１６とを結合させている。
【００１４】
図２を見れば最も良く分かるように、シリンダ本体１４は、実例として、前方端部２２、後方端部２４及び内部表面２８を画定するシリンダ壁２６を有する、概して円筒形の本体２０を含む。シリンダ壁２６は、内部のロッキングバー係合用溝３０（図４、図５、図６を見れば最も良く分かる）を含む。いくつかの実施形態において、ロッキングバー係合用溝３０は、概して矩形形状の断面を有し、シリンダ本体１４の一部分に沿って長手方向に、典型的には前方端部２２から延在する。
【００１５】
プラグアセンブリ１６は、プラグ本体３２、キャリアサブアセンブリ３４及び複数のバネ式ピン３８（キーフォロワとも呼ばれる）を含む。プラグ本体３２は、実例として、プラグ面３６、中間部分４０及び駆動部分４２を含む。プラグ面３６は、鍵穴開口部４４、鍵付替え工具用開口部４６、及び、ドリリング防止用玉軸受５０を収容するために半径方向外向きに延在する一対のチャネル４８、を画定する。駆動部分４２は、ラッチアセンブリ（図示せず）と結合され得るトルクブレード５１を駆動するように構成されている。駆動部分４２は、さらに、その周囲に形成された一対のスロット５２と、シリンダ本体１４内にプラグ本体３２を保持する目的でリテーナークリップ１８を収容するための中央溝５４と、を含む。
【００１６】
中間部分４０は、シリンダ区分として形成され且つバネ式ピン３８を収容するための複数のチャネル５８を有する、主要部分５６を含む。チャネル５８は、実例として、プラグ本体３２の長手方向軸に対し横断方向に延在する。平面的表面６０が、保持キャップ６４を収容するための陥凹６２を画定している。チャネル５８は、その側壁が平面的表面６６に向って開放している状態で、プラグ本体３２内に部分的に延在している。平面的表面６６は、実例として、複数の弾丸型のラック係合用機能部６８を含む。
【００１７】
キャリアサブアセンブリ３４は、キャリヤ７０、複数のラック７２、バネキャッチ７３、ロッキングバー７４、ロッキングバー７４をラック７２に向って推し進めるようロッキングバー７４に接して対応する付勢用部材７８を保持するための一対のクリップ７６、及び、戻しバネ８０を含む。キャリヤ７０は、キャリヤ７０と主要部分５６とが組合わさって、シリンダ本体１４の内側に適合するシリンダを形成するように、プラグ本体３２の主要部分５６と相補的であるシリンダ区分の形をした本体８２を含む。キャリヤ７０は、湾曲した表面８４及び平坦な表面８６を含む。湾曲表面８４は、ロッキングバースロット８８、バネキャッチ陥凹９０、及び、クリップ７６を収容するための一対のクリップ収容用陥凹１００、を含む。ロッキングバースロット８８は、実例として、付勢用部材７８を収容するための一対の付勢用部材収容用中ぐり９２を含む。示された実施形態において、ロッキングバー７４は、付勢用部材７８を収容するための対応する一対の陥凹部域９６を含む。
【００１８】
バネ式ロッキングバー７４は、キャリヤ７０内のロッキングバースロット８８に適合するようにサイズ決定され、構成される。ロッキングバー７４は、実例として、施錠位置にある場合（図５及び図６）にシリンダ本体１４内のロッキングバー係合用溝３０内に収容され開錠位置（図４）にある場合にロッキングバー係合用溝３０から外へと延在する、阻止用部分９８を含んでいる。いくつかの実施形態において、実例として示されているように、阻止用部分９８は、矩形の断面を形成する、方形にされた縁部を有する。この方形にされた表面は、カム作用を介してシリンダ本体内の溝から外に移動する米国特許第８，０３３，１５０号中に記載のロッキングバーの三角形状の縁部と好対照をなす。シリンダ本体１４内の溝３０から外に阻止用部分９８を移動させるために、付勢用部材７８による推進を用いることによって、方形にされた縁部をロッキングバー係合用溝３０内の対応する平坦な表面と共に使用することができ、これによって、米国特許第８，０３３，１５０号に記載の三角形状の縁部及び対応する三角形状のロッキングバー係合用溝に比較して、ロックシリンダ１０のトルク抵抗を増大させることができる。その上、こうして、無許可の鍵（又は他の物体）によって適用されるトルクはカム作用を介してロッキングバー７４からラック７２に伝達されないことから、ラック７２上の応力は軽減される。その代り、ロッキングバー係合用溝３０とのロッキングバー７４の界面が、このトルクをラック７２から隔離する。阻止用部分９８の方形にされた縁部の反対側に、ロッキングバー７４は、ラック７２内に形成されたロッキングバー係合用溝１０４と係合するように構成されたフランジ１０２を含んでいる（図４、図５、図６）。キャリヤ７０の平担な表面８６は、キャリヤ７０の長手方向軸に垂直に延在する、複数の平行なラック収容用スロット９４を含む。
【００１９】
図３は、クリップ７６の１つを横断方向に切断したロックシリンダ１０の例示的断面図である。この図においては、クリップ７６がキャリヤ７０の周りに延在していることが分かる。付勢用部材７８の一方の端部は、クリップ７６の収容用部分１０６に接して固定されており、もう一方の端部は、ロッキングバー７４の陥凹部域９６内に収容されロッキングバー７４をラック７２に対し推し進める。この実施形態において、ロッキングバー７４は、付勢用部材７８によってラック７２に対して継続的に推し進められる。
【００２０】
図４、５及び図６は、ロッキングバー７４の阻止用部分９８に沿って横断方向に切断したロックシリンダ１０の例示的断面図である。鍵穴開口部４４内に挿入された許可された鍵１０８を示す図４において、許可された鍵１０８の鍵山は、ロッキングバー７４のフランジ１０２が付勢用部材７８による推し進めを介してラック７２のそれぞれのロッキングバー係合用溝１０４内に収容される位置まで、バネ式ピン３８ひいてはラック７２を移動させるようなものである。これにより、ロッキングバー７４の阻止用部分９８は、ロッキングバー係合用溝３０から出てその開錠位置に位置づけされ、こうして、ロックシリンダ１０を開錠するためのシリンダ本体１４に対するプラグアセンブリ１６の自由な回転が可能になる。ロッキングバー７４をロッキングバー係合用溝３０から外に推し進めるためのこの付勢用部材７８の使用は、米国特許第８，０３３，１５０号中に記載のシリンダ本体内の溝から外にロッキングバーを移動させるためのカム作用と好対照をなす。図５は、無許可の鍵１１０が鍵穴開口部４４内に挿入されている一実施例を例示する。無許可の鍵１１０の鍵山は「無許可のもの」であることから、少なくとも１つのラック７２のロッキングバー係合用溝１０４は、ロッキングバー７４のフランジ１０２と整列しない。したがって、ロッキングバー１０４は、シリンダ本体１４のロッキングバー係合用溝３０から外に推し進められることができず、このことはすなわち、阻止用部分９８がシリンダ本体１４に対するプラグアセンブリ１６の回転を防ぐことを意味している。図示された実施形態では、阻止用部分９８の縁部は方形にされており、シリンダ本体１４のロッキングバー係合用溝３０は対応する形状を有する。このことはすなわち、シリンダ本体１４に対するプラグアセンブリ１６のトルク付加によってひき起こされる力が、ロッキングバー係合用溝３０の平担な内部表面１１４に対して、阻止用部分９８の平坦な表面１１２に適用される、ということを意味する。表面１１２、１１４は、相互に平坦であることから、こうして、米国特許第８，０３３，１５０号のロッキングバーの三角形縁部及びシリンダ本体の対応する三角形縁部などの傾斜した表面と比べて、トルク抵抗は、増大する。その上、平坦な表面１１２、１１４とは異なり、米国特許第８，０３３，１５０号中に記載の傾斜した表面は、一部のケースではラックを変形させるか又は他の形でラックの耐久性を減少させる可能性のある力をラックに加えるカム作用を作り出す。図６は、ロックシリンダ１０内に全く鍵が存在しない一実施例を例示している。バネ式ピン３８のバネは、付勢用部材７８よりも高いバネ力を有する。したがって、鍵穴内に鍵が無い場合、バネ式ピン３８は、ラック７２を下向きに駆動し付勢用部材７８の力を克服し、こうして、ロッキングバー７４のフランジ１０２はラック７４のロッキングバー係合用溝１０４の中に収容されない。これにより、ロッキングバー７４の阻止用部分９８は、シリンダ本体１４のロッキングバー係合用溝３０内に強制され、こうして、シリンダ本体１４に対するプラグアセンブリ１６の回転は妨げられる。
【実施例】
【００２１】
以下では、本明細書中で開示されている鍵付替え可能なロックシリンダの例示的実施例を提供する。鍵付替え可能なロックシリンダの一実施形態は、以下に説明される実施例のいずれか１つ以上及びそのいずれかの組合せを含んでよい。
【００２２】
実施例１は、長手方向軸を有し溝を含むシリンダ本体を伴う鍵付替え可能なロックシリンダである。ロックシリンダは、長手方向軸を中心にして回転可能であるシリンダ本体中に配置されたプラグアセンブリを含む。対応する複数のラックを伴う複数のキーフォロワがプラグアセンブリ内に配置されている。複数のラックのうちの少なくとも１つは、新しい鍵への鍵の付替えを容易にするために、鍵付替え可能なロックシリンダ内に挿入された物体による力の適用に応じて、複数のキーフォロワのうちの少なくとも１つから選択的に係合解除可能である。ロックシリンダは、無許可の物体を用いた鍵付替え可能なロックシリンダの開錠を防ぐために、シリンダ本体に対するプラグアセンブリの回転を阻止するための手段を含む。阻止用手段は、無許可の物体を用いたプラグアセンブリのトルク付加に由来する力が、複数のラックに伝達されるあらゆる力に比較した場合に主としてシリンダ本体と阻止用手段との間で分配され、こうして鍵付替え可能なロックシリンダのトルク抵抗を増強させるように、構成されている。
【００２３】
実施例２において、実施例１の主題はさらに、阻止用手段が、長手方向軸に対して横断方向に、シリンダ本体の溝内へ入る施錠位置とシリンダ本体の溝から出る開錠位置との間で可動である、少なくとも１つのロッキングバーを含むように構成されている。
【００２４】
実施例３において、実施例２の主題はさらに、少なくとも１つのロッキングバーが、施錠位置にある場合に、溝の表面と係合する表面を含むように構成されている。少なくとも１つのロッキングバーが施錠位置にある場合に係合する、少なくとも１つのロッキングバー及び溝のそれぞれの表面が、おおよそ平行な平面内にある。
【００２５】
実施例４において、実施例３の主題はさらに、少なくとも１つのロッキングバーが施錠位置にある場合に、シリンダ本体内の溝と係合する少なくとも１つのロッキングバーの表面が、傾斜した表面でないように構成されている。
【００２６】
実施例５において、実施例３の主題はさらに、少なくとも１つのロッキングバーが施錠位置にある場合に、シリンダ本体内の溝と係合する少なくとも１つのロッキングバーの表面が、平坦な表面であるように構成されている。
【００２７】
実施例６において、実施例３の主題はさらに、シリンダ本体内の溝と係合する少なくとも１つのロッキングバーの表面が、長手方向軸に対して半径方向の軸におおよそ平行である平面内にあるように構成されている。
【００２８】
実施例７において、実施例２の主題はさらに、施錠位置にある場合に、少なくとも１つのロッキングバーの縁部が、シリンダ本体の溝の中に収容されるように構成されている。
【００２９】
実施例８において、実施例７の主題はさらに、少なくとも１つのロッキングバーの縁部が、実質的に方形であるように構成されている。
【００３０】
実施例９において、実施例７の主題はさらに、少なくとも１つのロッキングバーの縁部が、おおよそ矩形の断面を有するように構成されている。
【００３１】
実施例１０において、実施例１の主題はさらに、阻止用手段を複数のラックに向けて推し進める付勢用部材を含むように構成されている。
【００３２】
実施例１１において、実施例１０の主題はさらに、複数のキーフォロワがバネ式であり、いずれのキーフォロワも少なくとも１つのロッキングバーによって持ち上げられないように保証するために、付勢用部材のバネ力が、バネ式キーフォロワのバネ力に比例するように構成されている。
【００３３】
実施例１２は、溝を含む長手方向軸を伴うシリンダ本体を含む、鍵付替え可能なロックシリンダである。ロックシリンダは、シリンダ本体内に配置され長手方向軸を中心に回転可能なプラグアセンブリを含む。複数のラックと少なくとも１つのロッキングバーとを含む、キャリアアセンブリが提供される。ロックシリンダは、プラグアセンブリ内に配置された複数のキーフォロワを含む。複数のラックのうちの少なくとも１つは、新しい鍵への鍵の付替えを容易にするために、鍵付替え可能なロックシリンダ内に挿入された物体による力の適用に応じて、複数のキーフォロワのうちの少なくとも１つから選択的に係合解除可能である。少なくとも１つのロッキングバーは、長手方向軸に対して横断方向に及び長手方向軸を中心にして回転的に可動である。少なくとも１つのロッキングバーの少なくとも一部分は、シリンダ本体の溝内へ入る施錠位置とシリンダ本体内の溝から出る開錠位置との間で可動である。少なくとも１つのロッキングバーは、無許可の物体を用いた鍵付替え可能なロックシリンダの開錠を防ぐように構成されている。少なくとも１つのロッキングバーは、無許可の物体を用いたプラグアセンブリのトルク付加に由来する力が、複数のラックに対し伝達されるあらゆる力に比較した場合に、主としてシリンダ本体とキャリアアセンブリとの間で分配されるように構成されている。
【００３４】
実施例１３において、実施例１２の主題はさらに、付勢用部材が、少なくとも１つのロッキングバーを複数のラックに向けて推し進めるように構成されている。
【００３５】
実施例１４において、実施例１２の主題はさらに、複数のキーフォロワがバネ式であり、付勢用部材のバネ力がバネ式キーフォロワのバネ力よりも小さいように構成されている。
【００３６】
実施例１５は、溝を含む長手方向軸を伴うシリンダ本体を含む鍵付替え可能なロックシリンダである。プラグアセンブリが、シリンダ本体内に配置され、且つ、長手方向軸を中心に回転可能である。ロックシリンダは、プラグアセンブリ内に配置された複数のキーフォロワ及び対応する複数のラックを含む。複数のラックのうちの少なくとも１つは、新しい鍵への鍵の付替えを容易にするために、鍵付替え可能なロックシリンダ内に挿入された物体による力の適用に応じて、複数のキーフォロワのうちの少なくとも１つから選択的に係合解除可能である。少なくとも１つのロッキングバーが、長手方向軸に対し横断方向に及び長手方向軸を中心にして回転的に可動である。少なくとも１つのロッキングバーの少なくとも一部分は、シリンダ本体の溝内へ入る施錠位置とシリンダ本体内の溝から出る開錠位置との間で可動である。構内に収容される少なくとも１つのロッキングバーの部分は、おおよそ矩形の断面を有している。ロックシリンダは、少なくとも１つのロッキングバーを複数のラックに向って推し進める付勢用部材を含む。
【００３７】
実施例１６において、実施例１５の主題はさらに、複数のキーフォロワがバネ式であり、付勢用部材のバネ力がバネ式キーフォロワのバネ力よりも小さいように構成されている。
【００３８】
本開示について、特定の手段、材料及び実施形態を基準にして以上で説明してきたが、以上の説明から、当業者であれば、本発明の本質的特徴を容易に確認することができ、本発明の趣旨及び範囲から逸脱することなく、さまざまな使用及び特徴を適応させるためにさまざまな変更及び修正を加えることが可能である。
【図１】
2018517864.tif 000003
【図２】
2018517864.tif 000004
【図３】
2018517864.tif 000005
【図４】
2018517864.tif 000006
【図５】
2018517864.tif 000007
【図６】
2018517864.tif 000008
【国際調査報告】
2018517864.tif 000009
2018517864.tif 000010